(57)【要約】【課題】キャリッジに搭載されるインクジェットヘッドを保持するヘッド保持機構において、インクジェットヘッドの交換作業を簡素化することが可能なヘッド保持機構を提供する。【解決手段】ヘッド保持機構８は、インクジェットヘッドを保持するヘッド保持部材１１と、キャリッジに取り付けられるとともにヘッド保持部材１１が固定されるキャリッジ側部材１４と、キャリッジ側部材１４にヘッド保持部材１１を固定するための固定部材１５とを備えている。固定部材１５は、キャリッジ側部材１４に移動可能に保持されている。また、固定部材１５は、ヘッド保持部材１１に固定部材１５が係合してキャリッジ側部材１４にヘッド保持部材１１を固定する係合位置１５Ａと、ヘッド保持部材１１と固定部材１５との係合状態が解除されてキャリッジ側部材１４からのヘッド保持部材１１の取外しが可能となる係合解除位置との間で移動可能となっている。【選択図】図３
2019188759.tif 000002
【特許請求の範囲】
【請求項１】
キャリッジに搭載されるインクジェットヘッドを保持するヘッド保持機構であって、
前記インクジェットヘッドを保持するヘッド保持部材と、前記キャリッジに取り付けられるとともに前記ヘッド保持部材が固定されるキャリッジ側部材と、前記キャリッジ側部材に前記ヘッド保持部材を固定するための固定部材とを備え、
前記固定部材は、前記ヘッド保持部材および前記キャリッジ側部材のいずれか一方に移動可能に保持されるとともに、前記ヘッド保持部材および前記キャリッジ側部材のいずれか他方に前記固定部材が係合して前記キャリッジ側部材に前記ヘッド保持部材を固定する係合位置と、前記ヘッド保持部材および前記キャリッジ側部材のいずれか他方と前記固定部材との係合状態が解除されて前記キャリッジ側部材からの前記ヘッド保持部材の取外しが可能となる係合解除位置との間で移動可能となっていることを特徴とするヘッド保持機構。
【請求項２】
前記固定部材は、上下方向を回動の軸方向として前記係合位置と前記係合解除位置との間で回動可能となっていることを特徴とする請求項１記載のヘッド保持機構。
【請求項３】
前記固定部材は、前記キャリッジ側部材に移動可能に保持され、前記係合位置で前記ヘッド保持部材に係合することを特徴とする請求項１または２記載のヘッド保持機構。
【請求項４】
前記キャリッジ側部材は、前記キャリッジに固定される第１キャリッジ側部材と、前記第１キャリッジ側部材に移動可能に取り付けられるとともに前記ヘッド保持部材が固定される第２キャリッジ側部材とを備え、
前記第２キャリッジ側部材は、前記第１キャリッジ側部材に対して上下方向を回動の軸方向とする回動が可能となっているか、または、前記第１キャリッジ側部材に対して前記キャリッジの移動方向である主走査方向と上下方向とに直交する副走査方向への直線移動が可能となっており、
前記固定部材は、前記ヘッド保持部材および前記第２キャリッジ側部材のいずれか一方に移動可能に保持されていることを特徴とする請求項１から３のいずれかに記載のヘッド保持機構。
【請求項５】
前記ヘッド保持部材は、水平方向で前記第２キャリッジ側部材に対して位置決めされた状態で前記第２キャリッジ側部材に固定されることを特徴とする請求項４記載のヘッド保持機構。
【請求項６】
前記インクジェットヘッドは、前記ヘッド保持部材に対して上下方向を回動の軸方向とする回動が可能となっているか、または、前記ヘッド保持部材に対して前記キャリッジの移動方向である主走査方向と上下方向とに直交する副走査方向への直線移動が可能となっていることを特徴とする請求項１から５のいずれかに記載のヘッド保持機構。
【請求項７】
前記固定部材を前記係合位置で保持する固定部材保持機構を備えることを特徴とする請求項１から６のいずれかに記載のヘッド保持機構。
【請求項８】
請求項１から７のいずれかに記載のヘッド保持機構と、前記インクジェットヘッドと、前記キャリッジとを備え、
媒体に対して印刷を行うことを特徴とするインクジェットプリンタ。
【発明の詳細な説明】
【技術分野】
【０００１】
本発明は、キャリッジに搭載されるインクジェットヘッドを保持するヘッド保持機構に関する。また、本発明は、かかるヘッド保持機構を備えるインクジェットプリンタに関する。
【背景技術】
【０００２】
従来、媒体にインクを吐出して印刷を行うインクジェットプリンタが知られている（たとえば、特許文献１参照）。特許文献１に記載のインクジェットプリンタは、インク容器から供給されたインクを吐出する複数のインクジェットヘッド（液体吐出ヘッド）と、複数のインクジェットヘッドが搭載されるキャリッジとを備えている。複数のインクジェットヘッドは、キャリッジに組み付けられるベースプレートに、調整機構を介して固定されている。
【０００３】
特許文献１に記載のインクジェットプリンタでは、調整機構は、ベースプレートに固定される第１のプレートと、インクジェットヘッドが固定されるとともに第１のプレートに固定される第２のプレートとを備えている。第１のプレートは、ネジによってベースフレームに固定され、第２のプレートは、ネジによって第１のプレートに固定されている。また、インクジェットヘッドは、ネジによって第２のプレートに固定されている。
【０００４】
特許文献１に記載のインクジェットプリンタでは、ベースフレームに第１のプレートを固定するためのネジを緩めることで、上下方向を回動の軸方向としてベースプレートに対して第１のプレートを回動させることが可能になっている。また、第１のプレートに第２のプレートを固定するためのネジを緩めることで、第１のプレートに対して副走査方向へ第２のプレートを直線移動させることが可能となっている。そのため、特許文献１に記載のインクジェットプリンタでは、キャリッジに対するインクジェットヘッドの位置調整を行うことが可能になっている。
【０００５】
特許文献１に記載のインクジェットプリンタにおいて、キャリッジに搭載されるインクジェットヘッドを交換する場合には、たとえば、第１のプレートに第２のプレートを固定するためのネジを取り外して、交換前のインクジェットヘッドが固定された状態の第２のプレートを第１のプレートから取り外した後、交換後のインクジェットヘッドが固定された状態の第２のプレートを第１のプレートにネジによって固定する。
【先行技術文献】
【特許文献】
【０００６】
【特許文献１】特開２０１６−２１５４２１号公報
【発明の概要】
【発明が解決しようとする課題】
【０００７】
特許文献１に記載のインクジェットプリンタでは、キャリッジに搭載されるインクジェットヘッドを交換する際に、第１のプレートに第２のプレートを固定するためのネジを取り外さなければならない。そのため、このインクジェットプリンタでは、キャリッジに搭載されるインクジェットヘッドを交換する際にドライバー等の工具が必要になり、インクジェットヘッドの交換作業が煩雑になる。
【０００８】
そこで、本発明の課題は、キャリッジに搭載されるインクジェットヘッドを保持するヘッド保持機構において、インクジェットヘッドの交換作業を簡素化することが可能なヘッド保持機構を提供することにある。また、本発明の課題は、かかるヘッド保持機構を備えるインクジェットプリンタを提供することにある。
【課題を解決するための手段】
【０００９】
上記の課題を解決するため、本発明のヘッド保持機構は、キャリッジに搭載されるインクジェットヘッドを保持するヘッド保持機構であって、インクジェットヘッドを保持するヘッド保持部材と、キャリッジに取り付けられるとともにヘッド保持部材が固定されるキャリッジ側部材と、キャリッジ側部材にヘッド保持部材を固定するための固定部材とを備え、固定部材は、ヘッド保持部材およびキャリッジ側部材のいずれか一方に移動可能に保持されるとともに、ヘッド保持部材およびキャリッジ側部材のいずれか他方に固定部材が係合してキャリッジ側部材にヘッド保持部材を固定する係合位置と、ヘッド保持部材およびキャリッジ側部材のいずれか他方と固定部材との係合状態が解除されてキャリッジ側部材からのヘッド保持部材の取外しが可能となる係合解除位置との間で移動可能となっていることを特徴とする。
【００１０】
本発明のヘッド保持機構では、キャリッジ側部材にヘッド保持部材を固定するための固定部材は、ヘッド保持部材およびキャリッジ側部材のいずれか他方に固定部材が係合してキャリッジ側部材にヘッド保持部材を固定する係合位置と、ヘッド保持部材およびキャリッジ側部材のいずれか他方と固定部材との係合状態が解除されてキャリッジ側部材からのヘッド保持部材の取外しが可能となる係合解除位置との間で移動可能となるように、ヘッド保持部材およびキャリッジ側部材のいずれか一方に保持されている。
【００１１】
そのため、本発明では、係合位置にある固定部材を係合解除位置に移動させて、交換前のインクジェットヘッドが取り付けられた状態のヘッド保持部材をキャリッジ側部材から取り外した後、交換後のインクジェットヘッドが取り付けられた状態のヘッド保持部材をキャリッジ側部材の所定の位置にセットしてから、係合解除位置にある固定部材を係合位置に移動させることで、インクジェットヘッドを交換することが可能になる。すなわち、本発明では、ドライバー等の工具を使用しなくても、また、固定部材を取り外さなくても、インクジェットヘッドを交換することが可能になる。したがって、本発明では、インクジェットヘッドの交換作業を簡素化することが可能になる。また、本発明では、固定部材を取り外さなくてもインクジェットヘッドを交換することが可能になるため、インクジェットヘッドの交換時に、固定部材の紛失を防止することが可能になる。
【００１２】
本発明において、固定部材は、上下方向を回動の軸方向として係合位置と係合解除位置との間で回動可能となっていることが好ましい。このように構成すると、たとえば、係合位置と係合解除位置との間で固定部材が直線移動する場合と比較して、固定部材の可動領域を狭くすることが可能になる。したがって、ヘッド保持機構を小型化することが可能になる。
【００１３】
本発明において、固定部材は、キャリッジ側部材に移動可能に保持され、係合位置でヘッド保持部材に係合することが好ましい。このように構成すると、インクジェットヘッドと一緒にキャリッジ側部材から取り外されるヘッド保持部材のそれぞれに固定部材を取り付ける必要がなくなる。したがって、インクジェットヘッドと一緒に交換される部材の構成を簡素化することが可能になる。
【００１４】
本発明において、キャリッジ側部材は、キャリッジに固定される第１キャリッジ側部材と、第１キャリッジ側部材に移動可能に取り付けられるとともにヘッド保持部材が固定される第２キャリッジ側部材とを備え、第２キャリッジ側部材は、第１キャリッジ側部材に対して上下方向を回動の軸方向とする回動が可能となっているか、または、第１キャリッジ側部材に対してキャリッジの移動方向である主走査方向と上下方向とに直交する副走査方向への直線移動が可能となっており、固定部材は、ヘッド保持部材および第２キャリッジ側部材のいずれか一方に移動可能に保持されていることが好ましい。
【００１５】
このように構成すると、第２キャリッジ側部材が第１キャリッジ側部材に対して移動しても、第２キャリッジ側部材とヘッド保持部材との相対位置は変わらない。したがって、第２キャリッジ側部材が、第１キャリッジ側部材に対して回動可能または直線移動可能になっていても、ヘッド保持部材および第２キャリッジ側部材のいずれか一方に移動可能に保持される固定部材によって、第２キャリッジ側部材にヘッド保持部材を確実に固定することが可能になる。
【００１６】
本発明において、たとえば、ヘッド保持部材は、水平方向で第２キャリッジ側部材に対して位置決めされた状態で第２キャリッジ側部材に固定されている。
【００１７】
本発明において、たとえば、インクジェットヘッドは、ヘッド保持部材に対して上下方向を回動の軸方向とする回動が可能となっているか、または、ヘッド保持部材に対してキャリッジの移動方向である主走査方向と上下方向とに直交する副走査方向への直線移動が可能となっている。この場合には、インクジェットヘッドがヘッド保持部材に対して移動しても、ヘッド保持部材とキャリッジ側部材との相対位置は変わらない。したがって、インクジェットヘッドがヘッド保持部材に対して回動可能または直線移動可能になっていても、ヘッド保持部材およびキャリッジ側部材のいずれか一方に移動可能に保持される固定部材によって、キャリッジ側部材にヘッド保持部材を確実に固定することが可能になる。
【００１８】
本発明において、ヘッド保持機構は、固定部材を係合位置で保持する固定部材保持機構を備えることが好ましい。このように構成すると、固定部材を係合位置で確実に保持することが可能になる。したがって、固定部材によって、キャリッジ側部材にヘッド保持部材を確実に固定することが可能になる。
【００１９】
本発明のヘッド保持機構は、インクジェットヘッドと、キャリッジとを備え、媒体に対して印刷を行うインクジェットプリンタに用いることができる。このインクジェットプリンタでは、インクジェットヘッドの交換作業を簡素化することが可能になる。
【発明の効果】
【００２０】
以上のように、本発明のヘッド保持機構およびインクジェットプリンタでは、インクジェットヘッドの交換作業を簡素化することが可能になる。
【図面の簡単な説明】
【００２１】
【図１】本発明の実施の形態にかかるインクジェットプリンタの斜視図である。
【図２】図１に示すインクジェットプリンタのキャリッジ等を示す概略図である。
【図３】本発明の実施の形態１にかかるヘッド保持機構の斜視図である。
【図４】図３に示すヘッド保持機構の平面図である。
【図５】図４のＥ部の構成を説明するための拡大図である。
【図６】図５（Ａ）のＦ−Ｆ断面の断面図である。
【図７】図５（Ａ）のＧ−Ｇ断面の断面図である。
【図８】図３に示すヘッド保持部材の後端部と中間部材の後端部との係合部分の構成を説明するための断面図である。
【図９】本発明の実施の形態２にかかるヘッド保持機構の斜視図である。
【図１０】図９に示すヘッド保持機構の平面図である。
【図１１】（Ａ）は、本発明の他の実施の形態にかかるレバー部材の周辺部分の構成を説明するための平面図であり、（Ｂ）は、（Ａ）のＨ−Ｈ断面の断面図である。
【発明を実施するための形態】
【００２２】
以下、図面を参照しながら、本発明の実施の形態を説明する。
【００２３】
［実施の形態１］
（インクジェットプリンタの概略構成）
図１は、本発明の実施の形態にかかるインクジェットプリンタ１の斜視図である。図２は、図１に示すインクジェットプリンタ１のキャリッジ４等を示す概略図である。
【００２４】
本形態のインクジェットプリンタ１（以下、「プリンタ１」とする。）は、業務用のインクジェットプリンタであり、紙または布帛等の媒体に対して印刷を行う。プリンタ１は、媒体に向かってインク滴を吐出するインクジェットヘッド３（以下、「ヘッド３」とする。）と、ヘッド３が搭載されるキャリッジ４と、キャリッジ４を主走査方向（図１等のＸ方向）へ移動させるキャリッジ駆動機構（図示省略）と、キャリッジ４を主走査方向へ案内するためのガイドレール５と、ヘッド３に供給されるインクが収容される複数のインクタンク６とを備えている。
【００２５】
ヘッド３は、下側に向かってインク滴を吐出する。ヘッド３の下側には、プラテン７が配置されている。プラテン７には、印刷される媒体が載置される。また、プリンタ１は、キャリッジ４に搭載されるヘッド３を保持するヘッド保持機構８を備えている。ヘッド保持機構８は、キャリッジ４に搭載されている。本形態では、２個のヘッド３がヘッド保持機構８に保持されている。以下、ヘッド保持機構８の構成を説明する。
【００２６】
（ヘッド保持機構の構成）
図３は、本発明の実施の形態１にかかるヘッド保持機構８の斜視図である。図４は、図３に示すヘッド保持機構８の平面図である。図５は、図４のＥ部の構成を説明するための拡大図である。図６は、図５（Ａ）のＦ−Ｆ断面の断面図である。図７は、図５（Ａ）のＧ−Ｇ断面の断面図である。図８は、図３に示すヘッド保持部材１１の後端部と中間部材１３の後端部との係合部分の構成を説明するための断面図である。
【００２７】
以下の説明では、主走査方向（Ｘ方向）を「左右方向」とし、上下方向と左右方向（主走査方向）とに直交する副走査方向（図１等のＹ方向）を「前後方向」とする。また、左右方向の一方側である図３等のＸ１方向側を「右」側とし、その反対側である図３等のＸ２方向側を「左」側とし、前後方向の一方側である図３等のＹ１方向側を「前」側とし、その反対側である図３等のＹ２方向側を「後ろ」側とする。
【００２８】
ヘッド保持機構８は、ヘッド３を保持するヘッド保持部材１１と、キャリッジ４に固定されるベース部材１２と、ベース部材１２に移動可能に取り付けられるとともにヘッド保持部材１１が固定される中間部材１３とを備えている。本形態では、ベース部材１２と中間部材１３とによって、キャリッジ４に取り付けられるとともにヘッド保持部材１１が固定されるキャリッジ側部材１４が構成されている。本形態のベース部材１２は、第１キャリッジ側部材であり、中間部材１３は、第２キャリッジ側部材である。なお、図４では、説明の便宜上、中間部材１３を破線で示している。
【００２９】
また、ヘッド保持機構８は、中間部材１３にヘッド保持部材１１を固定するための固定レバー１５を備えている。すなわち、ヘッド保持機構８は、キャリッジ側部材１４にヘッド保持部材１１を固定するための固定レバー１５を備えている。本形態のヘッド保持機構８は、２個の固定レバー１５を備えている。２個の固定レバー１５は、左右方向に間隔をあけた状態で配置されている。固定レバー１５は、上下方向を回動の軸方向として回動可能になっている。本形態では、ユーザが固定レバー１５を手動で回動させる。本形態の固定レバー１５は、固定部材である。
【００３０】
ベース部材１２は、上面が開口するとともに上下方向の厚さが薄い扁平な略直方体の箱状に形成されている。中間部材１３も、上面が開口するとともに上下方向の厚さが薄い扁平な略直方体の箱状に形成されている。中間部材１３の外形は、ベース部材１２の外形よりも小さくなっている。中間部材１３は、ベース部材１２の底部の上面に載置されている。また、中間部材１３は、ベース部材１２に対して上下方向を回動の軸方向とする回動が可能となるように、ベース部材１２に取り付けられている。
【００３１】
ベース部材１２の左後端部には、中間部材１３の回動中心となる回動中心軸１６が固定されている。回動中心軸１６は、回動中心軸１６の軸方向と上下方向とが一致するように配置されている。回動中心軸１６は、中間部材１３の底部に挿通されている。中間部材１３は、複数の板バネ１７によって、ベース部材１２の底部の上面に押し付けられている。本形態では、中間部材１３の右端側に配置される２枚の板バネ１７と、中間部材１３の左端側に配置される２枚の板バネ１７と、中間部材１３の前端側に配置される１枚の板バネ１７とによって、中間部材１３がベース部材１２の底部の上面に押し付けられている。板バネ１７の一端部は、ベース部材１２に固定され、板バネ１７の他端部は、中間部材１３の底部の上面に接触している。
【００３２】
中間部材１３の右端面の前端部には、ベース部材１２に対する中間部材１３の回動角度を調整するための偏心カム１８の外周面が接触している。偏心カム１８は、上下方向を回動の軸方向とする回動が可能となるようにベース部材１２に取り付けられている。中間部材１３は、中間部材１３の前端側に配置される圧縮コイルバネ１９によって、回動中心軸１６を中心にして図４の反時計回りの方向（以下、この方向を「反時計方向」とする。）に付勢されている。そのため、中間部材１３の右端面の前端部は、偏心カム１８の外周面に所定の接触圧で接触している。ベース部材１２に対する中間部材１３の回動角度は、偏心カム１８を回すことで調整される。
【００３３】
中間部材１３には、前後方向においてヘッド保持部材１１を位置決めするための位置決め部１３ａと、左右方向においてヘッド保持部材１１を位置決めするための位置決め部１３ｂとが形成されている。位置決め部１３ａは、前後方向に直交する平面である。また、位置決め部１３ａは、前側を向く平面である。位置決め部１３ａは、中間部材１３の後端側に形成されるとともに左右の両端側の２箇所に形成されている。位置決め部１３ｂは、半球状に形成されている。位置決め部１３ｂは、中間部材１３の左端側に形成されるとともに前後方向に間隔をあけた状態で２箇所に形成されている。半球状に形成される位置決め部１３ｂの頂点は、位置決め部１３ｂの右端に配置されている。
【００３４】
中間部材１３には、固定レバー１５が回動可能に取り付けられる２個のレバー取付部１３ｃが形成されている。すなわち、固定レバー１５は、中間部材１３に移動可能に保持されている。具体的には、固定レバー１５は、中間部材１３に回動可能に保持されている。また、固定レバー１５は、キャリッジ側部材１４に移動可能（回動可能）に保持されている。レバー取付部１３ｃは、中間部材１３の前端部に形成されている。また、レバー取付部１３ｃは、中間部材１３の左右の両端側の２箇所に形成されている。レバー取付部１３ｃは、前側に向かって突出している。
【００３５】
レバー取付部１３ｃには、固定レバー１５を回動可能に支持する円筒状のレバー支持突起１３ｄが形成されている（図６参照）。レバー支持突起１３ｄは、レバー取付部１３ｃの中心部に形成されている。レバー支持突起１３ｄは、上側に向かって立ち上がっている。また、レバー取付部１３ｃには、固定レバー１５の回動範囲を規制するための規制面１３ｅ、１３ｆが形成されている（図５参照）。具体的には、図４の時計回りの方向（以下、この方向を「時計方向」とする。）における固定レバー１５の回動範囲を規制するための規制面１３ｅと、反時計方向における固定レバー１５の回動範囲を規制するための規制面１３ｆとがレバー取付部１３ｃに形成されている。
【００３６】
中間部材１３の後端部には、中間部材１３に固定されるヘッド保持部材１１の浮き上がりを防止するための突起部１３ｇが形成されている（図８参照）。突起部１３ｇは、ヘッド保持部材１１の後端部に後ろ側から係合する鉤型に形成されている。突起部１３ｇは、上側に突出している。突起部１３ｇには、ヘッド保持部材１１に形成される後述の係合部１１ｃに上側から接触して係合部１１ｃを上側から押える押え部１３ｈが形成されている。押え部１３ｈは、前側に向かって突出している。
【００３７】
ヘッド保持部材１１は、全体として略長方形の厚板状に形成されている。ヘッド保持部材１１の外形は、中間部材１３の外形よりも小さくなっている。ヘッド保持部材１１は、中間部材１３の底部の上面に載置されている。ヘッド保持部材１１の上面には、ヘッド３の底面が固定された固定プレート２２が固定されている。固定プレート２２は、左右方向で隣り合うようにヘッド保持部材１１の上面の２箇所に固定されている。固定プレート２２には、ヘッド３のノズル面が露出するように貫通穴（図示省略）が形成されている。本形態では、２個のヘッド３が、前後方向および左右方向において互いに位置調整された状態で固定プレート２２を介してヘッド保持部材１１に固定されている。
【００３８】
図４に示すように、ヘッド保持部材１１には、位置決め部１３ａに当接して前後方向においてヘッド保持部材１１を位置決めするための当接面１１ａと、位置決め部１３ｂに当接して左右方向においてヘッド保持部材１１を位置決めするための当接面１１ｂとが形成されている。当接面１１ａは、前後方向に直交する平面であり、ヘッド保持部材１１の左右の両端側に形成されている。また、当接面１１ａは、後ろ側を向く平面である。当接面１１ｂは、左右方向に直交する平面であり、前後方向に間隔をあけた状態で配置されている。また、当接面１１ｂは、左側を向く平面である。
【００３９】
ヘッド保持部材１１と中間部材１３との間には、中間部材１３に対してヘッド保持部材１１を後ろ側へ付勢する板バネ２３と、中間部材１３に対してヘッド保持部材１１を左側に付勢する板バネ２４とが配置されている。板バネ２３は、ヘッド保持部材１１の前端面に接触している。また、２枚の板バネ２３は、左右方向に間隔をあけた状態で配置されている。板バネ２４は、ヘッド保持部材１１の右端面に接触している。また、１枚の板バネ２３が前後方向におけるヘッド保持部材１１の中間位置に配置されている。なお、ヘッド保持部材１１は、板バネ２３、２４以外のバネ部材によって付勢されていても良い。
【００４０】
位置決め部１３ａと当接面１１ａとは、板バネ２３の付勢力によって所定の接触圧で接触しており、ヘッド保持部材１１は、前後方向で中間部材１３に対して位置決めされている。位置決め部１３ｂの頂点と当接面１１ｂとは、板バネ２４の付勢力によって所定の接触圧で接触しており、ヘッド保持部材１１は、左右方向で中間部材１３に対して位置決めされている。すなわち、ヘッド保持部材１１は、水平方向で中間部材１３に対して位置決めされた状態で中間部材１３に固定されている。
【００４１】
図８に示すように、ヘッド保持部材１１の後端部には、中間部材１３の突起部１３ｇに前側から係合する係合部１１ｃが形成されている。係合部１１ｃは、ヘッド保持部材１１の下端側に形成されている。また、係合部１１ｃは、後ろ側に向かって突出している。係合部１１ｃは、突起部１３ｇの押え部１３ｈの下側に配置されており、係合部１１ｃの上面は、押え部１３ｈの下面に接触している。突起部１３ｇと係合部１１ｃとによって、中間部材１３に対するヘッド保持部材１１の浮き上がりが防止されている。
【００４２】
ヘッド保持部材１１には、固定レバー１５の一部が係合する２個の係合部１１ｄが形成されている。係合部１１ｄは、ヘッド保持部材１１の前端部に形成されている。また、係合部１１ｄは、ヘッド保持部材１１の左右の両端側の２箇所に形成されている。係合部１１ｄの上面は、上下方向に直交する平面となっている。係合部１１ｄの上面には、固定レバー１５を後述の係合位置１５Ａで保持するための凸部１１ｅが形成されている。凸部１１ｅは、上側に向かって突出している。前後方向から見たときの凸部１１ｅの上面は、左側に向かうにしたがって上側に向かうように傾斜する傾斜面と、傾斜面の上端に滑らかに繋がる略半円弧状の凸曲面とから構成されている（図７参照）。
【００４３】
固定レバー１５は、レバー支持突起１３ｄが挿通される中心部１５ａと、ヘッド保持部材１１の係合部１１ｄに係合する係合部１５ｂと、ユーザが手動で固定レバー１５を回動させるときに摘まむ摘み部１５ｃとを備えている。固定レバー１５は、レバー支持突起１３ｄを中心にして回動する。係合部１５ｂは、中心部１５ａから水平方向に突出している。摘み部１５ｃも、中心部１５ａから水平方向に突出している。上下方向から見たときに、係合部１５ｂと摘み部１５ｃとがなす角度は、たとえば、１２０°程度となっている。
【００４４】
図６に示すように、中心部１５ａには、レバー支持突起１３ｄが内周側に挿通される円筒状の円筒部１５ｄが形成されている。レバー支持突起１３ｄの上端には、平板状かつ円環状に形成されるバネ押え部材２６が固定されている。円筒部１５ｄは、バネ押え部材２６の下側に配置されている。バネ押え部材２６の外径は、円筒部１５ｄの外径よりも大きくなっている。レバー支持突起１３ｄの内周側には、ナット２７が固定されている。バネ押え部材２６は、バネ押え部材２６の上側からナット２７に螺合するネジ２８によってレバー支持突起１３ｄの上端に固定されている。
【００４５】
円筒部１５ｄは、圧縮コイルバネ２９の内周側に挿通されている。圧縮コイルバネ２９の上端は、バネ押え部材２６の下面に接触している。圧縮コイルバネ２９の下端は、円筒部１５ｄの下端から円筒部１５ｄの径方向の外側に広がる接触面１５ｅに接触している。固定レバー１５は、圧縮コイルバネ２９の付勢力によって下側に向かって付勢されている。図７に示すように、係合部１５ｂの下面には、ヘッド保持部材１１の凸部１１ｅが嵌る凹部１５ｆが形成されている。凹部１５ｆは、係合部１５ｂの下面から上側に向かって窪んでいる。
【００４６】
固定レバー１５は、ヘッド保持部材１１に固定レバー１５が係合して（具体的には、係合部１１ｄに係合部１５ｂが係合して）中間部材１３にヘッド保持部材１１を固定する係合位置１５Ａ（図３、図４、図５（Ａ）に示す位置）と、ヘッド保持部材１１と固定レバー１５との係合状態（具体的には、係合部１１ｄと係合部１５ｂとの係合状態）が解除されて中間部材１３からのヘッド保持部材１１の取外しが可能となる係合解除位置１５Ｂ（図５（Ｂ）に示す位置）との間で回動可能となっている。
【００４７】
すなわち、固定レバー１５は、係合位置１５Ａと係合解除位置１５Ｂとの間で移動可能となっている。また、固定レバー１５は、係合位置１５Ａでヘッド保持部材１１に係合している。本形態では、係合位置１５Ａにある固定レバー１５が時計方向に回動すると、固定レバー１５が係合解除位置１５Ｂに移動し、係合解除位置１５Ｂにある固定レバー１５が反時計方向に回動すると、固定レバー１５が係合位置１５Ａに移動する。
【００４８】
固定レバー１５が係合位置１５Ａにあるときには、固定レバー１５の係合部１５ｂは、ヘッド保持部材１１の係合部１１ｄの上側に配置されている。また、固定レバー１５が係合位置１５Ａにあるときには、固定レバー１５の凹部１５ｆにヘッド保持部材１１の凸部１１ｅが嵌っている。また、固定レバー１５が係合解除位置１５Ｂにあるときには、係合部１５ｂは、係合部１１ｄの上側から外れた位置に配置されている。本形態では、凸部１１ｅと凹部１５ｆと圧縮コイルバネ２９とによって固定レバー１５を係合位置１５Ａで保持する固定部材保持機構が構成されている。
【００４９】
プリンタ１において、キャリッジ４に搭載されるヘッド３を交換するときには、まず、係合位置１５Ａにある固定レバー１５を係合解除位置１５Ｂまで回動させてから、交換前のヘッド３が固定されたヘッド保持部材１１を前側に向かって移動させて中間部材１３から取り外す。その後、交換後のヘッド３が固定されたヘッド保持部材１１を後ろ側に向かって移動させて中間部材１３に取り付けた後、係合解除位置１５Ｂにある固定レバー１５を係合位置１５Ａまで回動させる。
【００５０】
（本形態の主な効果）
以上説明したように、本形態では、中間部材１３にヘッド保持部材１１を固定するための固定レバー１５は、中間部材１３に回動可能に保持されるとともに、ヘッド保持部材１１に固定レバー１５が係合して中間部材１３にヘッド保持部材１１を固定する係合位置１５Ａと、ヘッド保持部材１１と固定レバー１５との係合状態が解除されて中間部材１３からのヘッド保持部材１１の取外しが可能となる係合解除位置１５Ｂとの間で回動可能となっている。そのため、本形態では、固定レバー１５を回動させることで、上述のように、キャリッジ４に搭載されるヘッド３を交換することが可能になる。
【００５１】
すなわち、本形態では、ドライバー等の工具を使用しなくても、また、固定レバー１５を中間部材１３から取り外さなくても、ヘッド３を交換することが可能になる。したがって、本形態では、ヘッド３の交換作業を簡素化することが可能になる。また、本形態では、固定レバー１５を取り外さなくてもヘッド３を交換することが可能になるため、ヘッド３の交換時に、固定レバー１５の紛失を防止することが可能になる。
【００５２】
本形態では、固定レバー１５は、中間部材１３に回動可能に保持されている。そのため、本形態では、中間部材１３がベース部材１２に対して回動しても、固定レバー１５とヘッド保持部材１１との相対位置は変わらない。したがって、本形態では、中間部材１３がベース部材１２に対して回動可能になっていても、固定レバー１５によって、中間部材１３にヘッド保持部材１１を確実に固定することが可能になる。
【００５３】
本形態では、ヘッド保持部材１１の凸部１１ｅと固定レバー１５の凹部１５ｆと圧縮コイルバネ２９とによって固定レバー１５を係合位置１５Ａで保持する固定部材保持機構が構成されている。そのため、本形態では、固定レバー１５を係合位置１５Ａで確実に保持することが可能になる。したがって、本形態では、固定レバー１５によって、中間部材１３にヘッド保持部材１１を確実に固定することが可能になる。
【００５４】
［実施の形態２］
図９は、本発明の実施の形態２にかかるヘッド保持機構８の斜視図である。図１０は、図９に示すヘッド保持機構８の平面図である。
【００５５】
実施の形態１のヘッド保持機構８は、ベース部材１２に移動可能に取り付けられる１個の中間部材１３と、中間部材１３に固定される１個のヘッド保持部材１１とを備えており、１個のヘッド保持部材１１が２個のヘッド３を保持している。これに対して、実施の形態２のヘッド保持機構８は、ベース部材１２に移動可能に取り付けられる１個の中間部材４３と、１個のヘッド３を保持するとともに中間部材４３に固定される１個のヘッド保持部材４１と、１個のヘッド３を保持するとともにベース部材１２に固定される１個のヘッド保持部材４２とを備えている。また、ヘッド保持部材４１を中間部材４３に固定するための固定レバー１５は、中間部材４３に回動可能に保持され、ヘッド保持部材４２をベース部材１２に固定するための固定レバー１５は、ベース部材１２に回動可能に保持されている。
【００５６】
本形態では、ベース部材１２と中間部材４３とによって、キャリッジ４に取り付けられるとともにヘッド保持部材４１が固定されるキャリッジ側部材４４が構成されている。本形態のベース部材１２は、第１キャリッジ側部材であり、中間部材４３は、第２キャリッジ側部材である。また、本形態では、ベース部材１２によって、キャリッジ４に取り付けられるとともにヘッド保持部材４２が固定されるキャリッジ側部材が構成されている。以下、本形態のヘッド保持機構８の構成を説明する。以下の説明では、実施の形態１と同様の構成については同じ符号を付して、その説明を省略または簡略化する。なお、図１０では、説明の便宜上、ヘッド保持部材４２および中間部材４３を破線で示している。
【００５７】
中間部材４３は、中間部材１３と同様に、上面が開口するとともに上下方向の厚さが薄い扁平な略直方体の箱状に形成されている。中間部材４３の外形は、ベース部材１２の外形よりも小さくなっている。中間部材４３は、ベース部材１２の底部の上面に載置されている。また、中間部材４３は、ベース部材１２に対して前後方向への直線移動が可能となるように、ベース部材１２に取り付けられている。中間部材４３は、複数の板バネ１７によって、ベース部材１２の底部の上面に押し付けられている。本形態では、中間部材４３の右端側に配置される１枚の板バネ１７と、中間部材４３の左前端側に配置される１枚の板バネ１７と、中間部材４３の左後端側に配置される１枚の板バネ１７とによって、中間部材４３がベース部材１２の底部の上面に押し付けられている。
【００５８】
中間部材４３の前端面の右端部には、ベース部材１２に対する中間部材４３の前後方向の位置を調整するための偏心カム４８の外周面が接触している。偏心カム４８は、上下方向を回動の軸方向とする回動が可能となるようにベース部材１２に取り付けられている。中間部材４３は、中間部材４３の後端側に配置される２枚の板バネ４９によって、前側に付勢されている。そのため、中間部材４３の前端面の右端部は、偏心カム４８の外周面に所定の接触圧で接触している。中間部材４３は、ベース部材１２に対して左右方向で位置決めされている。ベース部材１２に対する中間部材４３の前後方向の位置は、偏心カム４８を回すことで調整される。
【００５９】
中間部材４３の前端部には、１個の固定レバー１５が回動可能に取り付けられるレバー取付部４３ｃが形成されている。レバー取付部４３ｃは、実施の形態１のレバー取付部１３ｃと同様に、円筒状に形成されるレバー支持突起を備えており、固定レバー１５は、実施の形態１と同様に、レバー取付部４３ｃに回動可能に取り付けられている。なお、中間部材１３と同様に、中間部材４３には、前後方向においてヘッド保持部材４１を位置決めするための位置決め部と、左右方向においてヘッド保持部材４１を位置決めするための位置決め部とが形成されている。また、中間部材４３の後端部には、ヘッド保持部材４１の浮き上がりを防止するための突起部が形成されている。この突起部は、突起部１３ｇと同様に形成されている。
【００６０】
ヘッド保持部材４１は、上面が開口するとともに上下方向の厚さが薄い扁平な略直方体の箱状に形成されている。ヘッド保持部材４１の外形は、中間部材４３の外形よりも小さくなっている。ヘッド保持部材４１は、中間部材４３の底部の上面に載置されている。ヘッド保持部材４１の底部の上面には、ヘッド３の底面が固定された固定プレート２２が取り付けられている。本形態では、固定プレート２２は、ヘッド保持部材４１に対して上下方向を回動の軸方向とする回動が可能となるように、ヘッド保持部材４１に取り付けられている。すなわち、ヘッド３は、ヘッド保持部材４１に対して上下方向を回動の軸方向とする回動が可能となっている。
【００６１】
固定プレート２２は、ヘッド保持部材４１の底部の上面に載置されている。ヘッド保持部材４１の後端部には、固定プレート２２の回動中心となる回動中心軸５６が固定されている。回動中心軸５６は、回動中心軸５６の軸方向と上下方向とが一致するように配置されている。回動中心軸５６は、固定プレート２２に挿通されている。固定プレート２２は、複数の板バネ５７によって、ヘッド保持部材４１の底部の上面に押し付けられている。具体的には、固定プレート２２の左後端側に配置される１枚の板バネ５７と、固定プレート２２の左前端側に配置される１枚の板バネ５７と、固定プレート２２の右前端側に配置される１枚の板バネ５７とによって、固定プレート２２がヘッド保持部材４１の底部の上面に押し付けられている。板バネ５７の一端部は、ヘッド保持部材４１に固定され、板バネ５７の他端部は、固定プレート２２の上面に接触している。
【００６２】
固定プレート２２の左端面の前端部には、ヘッド保持部材４１に対する固定プレート２２の回動角度を調整するための偏心カム５８の外周面が接触している。偏心カム５８は、上下方向を回動の軸方向とする回動が可能となるようにヘッド保持部材４１に取り付けられている。固定プレート２２は、ヘッド保持部材４１の右端部に保持される板バネ５９によって、左側に付勢されており、固定プレート２２の左端面の前端部は、偏心カム５８の外周面に所定の接触圧で接触している。ヘッド保持部材４１に対する固定プレート２２の回動角度は、偏心カム５８を回すことで調整される。
【００６３】
ヘッド保持部材４１と中間部材４３との間には、中間部材４３に対してヘッド保持部材４１を後ろ側へ付勢する２枚の板バネ６３と、中間部材４３に対してヘッド保持部材４１を左側に付勢する１枚の板バネ６４とが配置されている。板バネ６３は、ヘッド保持部材４１の前端面に接触し、板バネ６４は、ヘッド保持部材４１の右端面に接触している。ヘッド保持部材４１は、水平方向で中間部材４３に対して位置決めされた状態で中間部材４３に固定されている。
【００６４】
なお、ヘッド保持部材１１と同様に、ヘッド保持部材４１には、前後方向においてヘッド保持部材４１を位置決めするための当接面が形成されており、この当接面と中間部材４３の位置決め部とは、板バネ６３の付勢力によって所定の接触圧で接触している。また、ヘッド保持部材４１には、左右方向においてヘッド保持部材４１を位置決めするための当接面が形成されており、この当接面と中間部材４３の位置決め部とは、板バネ６４の付勢力によって所定の接触圧で接触している。また、ヘッド保持部材１１と同様に、ヘッド保持部材４１の後端部には、ヘッド保持部材４１の浮き上がりを防止するための係合部が形成されている。
【００６５】
ヘッド保持部材１１と同様に、ヘッド保持部材４１には、固定レバー１５の一部が係合する係合部４１ｄが形成されている。係合部４１ｄは、ヘッド保持部材４１の前端部に形成されている。係合部４１ｄは、係合部１１ｄと同様に形成されており、係合部４１ｄの上面には、凸部１１ｅと同様の凸部４１ｅが形成されている。固定レバー１５は、ヘッド保持部材４１に固定レバー１５が係合して中間部材４３にヘッド保持部材４１を固定する係合位置１５Ａと、ヘッド保持部材４１と固定レバー１５との係合状態が解除されて中間部材４３からのヘッド保持部材４１の取外しが可能となる係合解除位置１５Ｂとの間で回動可能となっている。
【００６６】
なお、固定レバー１５が係合位置１５Ａにあるときには、固定レバー１５の凹部１５ｆにヘッド保持部材４１の凸部４１ｅが嵌っている。また、本形態では、凸部４１ｅと凹部１５ｆと圧縮コイルバネ２９とによって固定レバー１５を係合位置１５Ａで保持する固定部材保持機構が構成されている。
【００６７】
ヘッド保持部材４２は、ヘッド保持部材４１と同様に構成されている。ヘッド保持部材４２は、ベース部材１２の底部の上面に載置されている。また、ヘッド保持部材４２は、中間部材４３の斜め左後ろ側に配置されている。ヘッド保持部材４１と同様に、ヘッド保持部材４２の底部の上面には、固定プレート２２が、ヘッド保持部材４２に対して上下方向を回動の軸方向とする回動が可能となるように取り付けられている。すなわち、ヘッド３は、ヘッド保持部材４２に対して上下方向を回動の軸方向とする回動が可能となっている。
【００６８】
ヘッド保持部材４２の後端部には、固定プレート２２の回動中心となる回動中心軸５６が固定されている。固定プレート２２は、複数の板バネ５７によってヘッド保持部材４２の底部の上面に押し付けられている。板バネ５７の一端部は、ヘッド保持部材４２に固定され、板バネ５７の他端部は、固定プレート２２の上面に接触している。固定プレート２２の左端面の前端部には、ヘッド保持部材４２に対する固定プレート２２の回動角度を調整するための偏心カム５８の外周面が接触している。偏心カム５８は、上下方向を回動の軸方向とする回動が可能となるようにヘッド保持部材４２に回動可能に取り付けられている。固定プレート２２は、ヘッド保持部材４２の右端部に保持される板バネ５９によって、左側に付勢されており、固定プレート２２の左端面の前端部は、偏心カム５８の外周面に所定の接触圧で接触している。ヘッド保持部材４２に対する固定プレート２２の回動角度は、偏心カム５８を回すことで調整される。
【００６９】
ヘッド保持部材４２とベース部材１２との間には、ベース部材１２に対してヘッド保持部材４２を後ろ側へ付勢する２枚の板バネ６３と、ベース部材１２に対してヘッド保持部材４２を左側に付勢する１枚の板バネ６４とが配置されている。板バネ６３は、ヘッド保持部材４２の前端面に接触し、板バネ６４は、ヘッド保持部材４２の右端面に接触している。ヘッド保持部材４２は、水平方向でベース部材１２に対して位置決めされた状態でベース部材１２に固定されている。
【００７０】
なお、ヘッド保持部材４１と同様に、ヘッド保持部材４２には、前後方向においてヘッド保持部材４２を位置決めするための当接面が形成されており、この当接面とベース部材１２に形成される位置決め部とが、板バネ６３の付勢力によって所定の接触圧で接触している。また、ヘッド保持部材４２には、左右方向においてヘッド保持部材４２を位置決めするための当接面が形成されており、この当接面とベース部材１２に形成される位置決め部とが、板バネ６４の付勢力によって、所定の接触圧で接触している。また、ヘッド保持部材４１と同様に、ヘッド保持部材４２の後端部には、ヘッド保持部材４２の浮き上がりを防止するための係合部が形成されている。ベース部材１２には、突起部１３ｇと同様の突起部が形成されており、ヘッド保持部材４２の係合部とベース部材１２の突起部とは係合している。
【００７１】
ヘッド保持部材４２をベース部材１２に固定するための固定レバー１５は、ベース部材１２のレバー取付部１２ｃに回動可能に取り付けられている。レバー取付部１２ｃは、実施の形態１のレバー取付部１３ｃと同様に、円筒状に形成されるレバー支持突起を備えており、固定レバー１５は、実施の形態１と同様に、レバー取付部１２ｃに回動可能に取り付けられている。
【００７２】
ヘッド保持部材４１と同様に、ヘッド保持部材４２には、固定レバー１５の一部が係合する係合部４２ｄが形成されている。係合部４２ｄは、ヘッド保持部材４２の前端部に形成されている。係合部４２ｄの上面には、凸部４１ｅと同様の凸部４２ｅが形成されている。固定レバー１５は、ヘッド保持部材４２に固定レバー１５が係合してベース部材１２にヘッド保持部材４２を固定する係合位置１５Ａと、ヘッド保持部材４２と固定レバー１５との係合状態が解除されてベース部材１２からのヘッド保持部材４２の取外しが可能となる係合解除位置１５Ｂとの間で回動可能となっている。
【００７３】
なお、固定レバー１５が係合位置１５Ａにあるときには、固定レバー１５の凹部１５ｆにヘッド保持部材４２の凸部４２ｅが嵌っている。また、本形態では、凸部４２ｅと凹部１５ｆと圧縮コイルバネ２９とによって固定レバー１５を係合位置１５Ａで保持する固定部材保持機構が構成されている。
【００７４】
プリンタ１において、キャリッジ４に搭載されるとともにヘッド保持部材４１に保持されたヘッド３を交換するときには、まず、係合位置１５Ａにある固定レバー１５を係合解除位置１５Ｂまで回動させてから、交換前のヘッド３を保持するヘッド保持部材４１を前側に向かって移動させて中間部材４３から取り外す。その後、交換後のヘッド３を保持するヘッド保持部材４１を後ろ側に向かって移動させて中間部材４３に取り付けた後、係合解除位置１５Ｂにある固定レバー１５を係合位置１５Ａまで回動させる。
【００７５】
また、キャリッジ４に搭載されるとともにヘッド保持部材４２に保持されたヘッド３を交換するときには、まず、係合位置１５Ａにある固定レバー１５を係合解除位置１５Ｂまで回動させてから、交換前のヘッド３を保持するヘッド保持部材４２を前側に向かって移動させてベース部材１２から取り外す。その後、交換後のヘッド３を保持するヘッド保持部材４２を後ろ側に向かって移動させてベース部材１２に取り付けた後、係合解除位置１５Ｂにある固定レバー１５を係合位置１５Ａまで回動させる。
【００７６】
本形態においても、実施の形態１と同様の効果を得ることができる。また、本形態では、ヘッド３がヘッド保持部材４１に対して回動しても、固定レバー１５とヘッド保持部材４１との相対位置は変わらない。そのため、本形態では、ヘッド３がヘッド保持部材４１に対して回動可能になっていても、固定レバー１５によって、中間部材４３にヘッド保持部材４１を確実に固定することが可能になる。同様に、本形態では、ヘッド３がヘッド保持部材４２に対して回動しても、固定レバー１５とヘッド保持部材４２との相対位置は変わらないため、ヘッド３がヘッド保持部材４２に対して回動可能になっていても、固定レバー１５によって、ベース部材１２にヘッド保持部材４２を確実に固定することが可能になる。
【００７７】
［他の実施の形態］
上述した形態は、本発明の好適な形態の一例ではあるが、これに限定されるものではなく本発明の要旨を変更しない範囲において種々変形実施が可能である。
【００７８】
実施の形態１において、図１１に示すように、固定レバー１５は、ヘッド保持部材１１に回動可能に保持されていても良い。この場合には、固定レバー１５は、中間部材１３に固定レバー１５が係合して中間部材１３にヘッド保持部材１１を固定する係合位置１５Ａと、中間部材１３と固定レバー１５との係合状態が解除されて中間部材１３からのヘッド保持部材１１の取外しが可能となる係合解除位置１５Ｂとの間で回動可能となっている。ただし、実施の形態１のように、固定レバー１５が中間部材１３に保持されている場合には、ヘッド３と一緒に中間部材１３から取り外されるヘッド保持部材１１のそれぞれに固定レバー１５を取り付ける必要がなくなる。したがって、実施の形態１では、ヘッド３と一緒に交換される部材の構成を簡素化することが可能になる。
【００７９】
図１１に示す変形例では、たとえば、中間部材１３に、固定レバー１５の係合部１５ｂが係合する係合部１３ｊが形成されている。また、この変形例では、たとえば、係合部１５ｂの上面に、固定レバー１５を係合位置１５Ａで保持するための凸部１５ｇが形成され、係合部１３ｊの下面に、凸部１５ｇが嵌る凹部１３ｋが形成されている。また、固定レバー１５が係合位置１５Ａにあるときに、係合部１５ｂは、係合部１３ｊの下側に配置されており、凹部１３ｋに凸部１５ｇが嵌っている。また、固定レバー１５は、たとえば、圧縮コイルバネ等のバネ部材によって上側に付勢されている。この場合には、固定レバー１５を付勢するバネ部材と凹部１３ｋと凸部１５ｇとによって固定レバー１５を係合位置１５Ａで保持する固定部材保持機構が構成されている。なお、図１１（Ｂ）は、図１１（Ａ）のＨ−Ｈ断面の断面図である。
【００８０】
同様に、実施の形態２において、ヘッド保持部材４１を中間部材４３に固定するための固定レバー１５が、ヘッド保持部材４１に回動可能に保持されていて、中間部材４３に固定レバー１５が係合して中間部材４３にヘッド保持部材４１を固定する係合位置１５Ａと、中間部材４３と固定レバー１５との係合状態が解除されて中間部材４３からのヘッド保持部材４１の取外しが可能となる係合解除位置１５Ｂとの間で回動可能となっていても良い。
【００８１】
また、実施の形態２において、ヘッド保持部材４２をベース部材１２に固定するための固定レバー１５が、ヘッド保持部材４２に回動可能に保持されていて、ベース部材１２に固定レバー１５が係合してベース部材１２にヘッド保持部材４２を固定する係合位置１５Ａと、ベース部材１２と固定レバー１５との係合状態が解除されてベース部材１２からのヘッド保持部材４２の取外しが可能となる係合解除位置１５Ｂとの間で回動可能となっていても良い。
【００８２】
実施の形態１において、固定レバー１５に代えて、中間部材１３にヘッド保持部材１１を固定するための固定部材が、水平方向または上下方向への直線移動または曲線移動が可能となるように、中間部材１３に保持されていても良い。すなわち、中間部材１３にヘッド保持部材１１を固定するための固定部材が中間部材１３にスライド可能に保持されていても良い。この場合には、固定部材は、ヘッド保持部材１１に固定部材が係合して中間部材１３にヘッド保持部材１１を固定する係合位置と、ヘッド保持部材１１と固定部材との係合状態が解除されて中間部材１３からのヘッド保持部材１１の取外しが可能となる係合解除位置との間でスライド可能となっている。
【００８３】
ただし、実施の形態１のように、固定レバー１５が中間部材１３に回動可能に保持されている場合には、係合位置と係合解除位置との間で固定部材がスライドする場合と比較して、固定レバー１５の可動領域を狭くすることが可能になる。したがって、ヘッド保持機構８を小型化することが可能になる。
【００８４】
同様に、実施の形態２において、固定レバー１５に代えて、中間部材４３にヘッド保持部材４１を固定するための固定部材が中間部材４３にスライド可能に保持されていても良い。この場合には、固定部材は、ヘッド保持部材４１に固定部材が係合して中間部材４３にヘッド保持部材４１を固定する係合位置と、ヘッド保持部材４１と固定部材との係合状態が解除されて中間部材４３からのヘッド保持部材４１の取外しが可能となる係合解除位置との間でスライド可能となっている。
【００８５】
また、実施の形態２において、固定レバー１５に代えて、ベース部材１２にヘッド保持部材４２を固定するための固定部材がベース部材１２にスライド可能に保持されていても良い。この場合には、固定部材は、ヘッド保持部材４２に固定部材が係合してベース部材１２にヘッド保持部材４２を固定する係合位置と、ヘッド保持部材４２と固定部材との係合状態が解除されてベース部材１２からのヘッド保持部材４２の取外しが可能となる係合解除位置との間でスライド可能となっている。
【００８６】
実施の形態２において、固定プレート２２は、ヘッド保持部材４１に対して前後方向への直線移動が可能となるようにヘッド保持部材４１に取り付けられていても良い。すなわち、ヘッド３は、ヘッド保持部材４１に対して前後方向への直線移動が可能となっていても良い。この場合には、中間部材４３は、ベース部材１２に対して上下方向を回動の軸方向とする回動が可能となるようにベース部材１２に取り付けられている。また、実施の形態２において、ヘッド３は、ヘッド保持部材４２に対して前後方向への直線移動が可能となっていても良い。さらに、実施の形態１において、ヘッド３は、ヘッド保持部材１１に対して前後方向への直線移動が可能となっていても良い。また、実施の形態１において、３個以上のヘッド３が、前後方向および左右方向において互いに位置調整された状態でヘッド保持部材１１に固定されていても良い。
【符号の説明】
【００８７】
１  プリンタ（インクジェットプリンタ）
３  ヘッド（インクジェットヘッド）
４  キャリッジ
８  ヘッド保持機構
１１、４１、４２  ヘッド保持部材
１１ｅ、４１ｅ、４２ｅ  凸部（固定部材保持機構の一部）
１２  ベース部材（第１キャリッジ側部材、キャリッジ側部材）
１３、４３  中間部材（第２キャリッジ側部材）
１３ｋ  凹部（固定部材保持機構の一部）
１４、４４  キャリッジ側部材
１５  固定レバー（固定部材）
１５Ａ  係合位置
１５Ｂ  係合解除位置
１５ｆ  凹部（固定部材保持機構の一部）
１５ｇ  凸部（固定部材保持機構の一部）
２９  圧縮コイルバネ（固定部材保持機構の一部）
Ｘ  主走査方向
Ｙ  副走査方向
【図１】
2019188759.tif 000003
【図２】
2019188759.tif 000004
【図３】
2019188759.tif 000005
【図４】
2019188759.tif 000006
【図５】
2019188759.tif 000007
【図６】
2019188759.tif 000008
【図７】
2019188759.tif 000009
【図８】
2019188759.tif 000010
【図９】
2019188759.tif 000011
【図１０】
2019188759.tif 000012
【図１１】
2019188759.tif 000013